(57)【特許請求の範囲】
【請求項１】
ハイブリッド自動再送要求ＨＡＲＱフィードバック方法であって、
端末装置がネットワーク装置に送信待ちデータを送信することと、
前記ネットワーク装置が前記端末装置への許可を停止した場合、前記端末装置が第１のターゲット期間内に前記送信待ちデータに対するフィードバック情報を受信していないと確定した場合、前記端末装置は前記ネットワーク装置にフィードバック要求情報を送信し、前記フィードバック要求情報は前記ネットワーク装置が前記送信待ちデータに対するフィードバック情報を送信するように要求し、前記第１のターゲット期間の開始時点は前記端末装置が前記送信待ちデータの送信を完了する時点であり、前記第１のターゲット期間の時間長さは第１の時間長さであることとを含み、
前記方法は更に、前記端末装置が、前記ネットワーク装置に前記送信待ちデータを送信する前に受信した、前記ネットワーク装置により送信されたフィードバック情報に対応する時間長さに従って、前記第１の時間長さを確定することを含むことを特徴とするハイブリッド自動再送要求ＨＡＲＱフィードバック方法。
【請求項２】
前記フィードバック要求情報は、前記端末装置の識別ＩＤとターゲットＨＡＲＱプロセスのＩＤを含み、
前記端末装置がネットワーク装置に送信待ちデータを送信することは、
前記端末装置が前記ターゲットＨＡＲＱプロセスにより前記ネットワーク装置に前記送信待ちデータを送信することを含むことを特徴とする請求項１に記載の方法。
【請求項３】
前記端末装置がネットワーク装置にフィードバック要求情報を送信することは、
前記端末装置が、前記ネットワーク装置が前記端末装置に割り当てた前記フィードバック要求情報を送信するための専用リソースにおいて、前記ネットワーク装置に前記フィードバック要求情報を送信し、又は、
前記端末装置が予め設定した共有リソースにおいて前記ネットワーク装置に前記フィードバック要求情報を送信することを含むことを特徴とする請求項２に記載の方法。
【請求項４】
前記端末装置が前記ネットワーク装置により送信された前記送信待ちデータに対するフィードバック情報を受信することをさらに含むことを特徴とする請求項２又は３に記載の方法。
【請求項５】
前記フィードバック情報は前記ターゲットＨＡＲＱプロセスのＩＤを含む肯定応答ＡＣＫ情報であり、
前記端末装置が前記ネットワーク装置により送信された前記送信待ちデータに対するフィードバック情報を受信することは、
前記端末装置が前記ネットワーク装置により送信された前記ＡＣＫ情報を含むメディアアクセス制御プロトコルデータユニットＭＡＣ  ＰＤＵを受信することを含むことを特徴とする請求項４に記載の方法。
【請求項６】
前記フィードバック情報は前記ターゲットＨＡＲＱプロセスのＩＤと前記端末装置のＩＤを含む肯定応答ＡＣＫ情報であり、
前記端末装置が前記ネットワーク装置により送信された前記送信待ちデータに対するフィードバック情報を受信することは、
前記端末装置が前記ネットワーク装置により送信された前記ＡＣＫ情報を含むシステム情報を受信することを含むことを特徴とする請求項４に記載の方法。
【請求項７】
前記フィードバック情報は前記送信待ちデータの再送信に関する情報を含む否定応答ＮＡＣＫ情報であり、
前記端末装置が前記ネットワーク装置により送信された前記送信待ちデータに対するフィードバック情報を受信することは、
前記端末装置が前記ネットワーク装置により送信された前記ＮＡＣＫ情報を含む物理ダウンリンク制御チャネルＰＤＣＣＨを受信することを含むことを特徴とする請求項４に記載の方法。
【請求項８】
端末装置であって、送受信モジュールと、処理モジュールと、を備え、
前記送受信モジュールは、ネットワーク装置に送信待ちデータを送信し、
前記処理モジュールは、前記ネットワーク装置が前記端末装置への許可を停止した場合、前記送受信モジュールが第１のターゲット期間内に前記送信待ちデータに対するフィードバック情報を受信したかどうかを確定し、前記第１のターゲット期間の開始時点は前記送受信モジュールが前記送信待ちデータの送信を完了する時点であり、前記第１のターゲット期間の時間長さはを第１の時間長さであり、
前記処理モジュールは更に、前記ネットワーク装置に前記送信待ちデータを送信する前に受信した、前記ネットワーク装置により送信されたフィードバック情報に対応する時間長さに従って、前記第１の時間長さを確定し、
前記送受信モジュールは、さらに、前記処理モジュールが前記送受信モジュールが第１のターゲット期間内に前記送信待ちデータに対するフィードバック情報を受信していないと確定した場合、前記ネットワーク装置にフィードバック要求情報を送信し、前記フィードバック要求情報は前記ネットワーク装置が前記送信待ちデータに対するフィードバック情報を送信するように要求することを特徴とする端末装置。
【請求項９】
前記フィードバック要求情報は、前記端末装置の識別ＩＤとターゲットＨＡＲＱプロセスのＩＤを含み、
前記送受信モジュールは、
前記ターゲットＨＡＲＱプロセスにより前記ネットワーク装置に前記送信待ちデータを送信することを特徴とする請求項８に記載の端末装置。
【請求項１０】
前記送受信モジュールは、具体的には、
前記ネットワーク装置が前記端末装置に割り当てた前記フィードバック要求情報を送信するための専用リソースにおいて、前記ネットワーク装置に前記フィードバック要求情報を送信し、又は、
予め設定した共有リソースにおいて前記ネットワーク装置に前記フィードバック要求情報を送信することを特徴とする請求項８に記載の端末装置。
【請求項１１】
前記送受信モジュールは、さらに、
前記ネットワーク装置により送信された前記送信待ちデータに対するフィードバック情報を受信することを特徴とする請求項８又は１０に記載の端末装置。
【請求項１２】
前記フィードバック情報は前記ターゲットＨＡＲＱプロセスのＩＤを含む肯定応答ＡＣＫ情報であり、
前記送受信モジュールは、
前記ネットワーク装置により送信された前記ＡＣＫ情報を含むメディアアクセス制御プロトコルデータユニットＭＡＣ  ＰＤＵを受信することを特徴とする請求項１１に記載の端末装置。
【請求項１３】
前記フィードバック情報は前記ターゲットＨＡＲＱプロセスのＩＤと前記端末装置のＩＤを含む肯定応答ＡＣＫ情報であり、
前記送受信モジュールは、
前記ネットワーク装置により送信された前記ＡＣＫ情報を含むシステム情報を受信することを特徴とする請求項１１に記載の端末装置。
【請求項１４】
端末装置であって、
プロセッサと、メモリと、送受信機と、を備え、前記プロセッサ、前記メモリ、及び前記送受信機は内部接続通路を介して互いに通信し、制御及び／又はデータ信号を伝送し、前記端末装置は請求項１〜７のいずれか一項に記載の方法を実行することを特徴とする端末装置。
【発明の詳細な説明】
【技術分野】
【０００１】
本願の実施例は通信分野に関し、具体的には、ハイブリッド自動再送要求フィードバック方法及び装置に関する。
【背景技術】
【０００２】
ロングタームエボリューション（Ｌｏｎｇ  Ｔｅｒｍ  Ｅｖｏｌｕｔｉｏｎ、ＬＴＥ）システムにおけるアップリンクハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）伝送は、同期式非適応型であり、同期とは再送が指定された固定時点で送信されることであり、非適応とは再送と前回の伝送が同じ物理リソースブロック（Ｐｈｙｓｉｃａｌ  Ｒｅｓｏｕｒｃｅ  Ｂｌｏｃｋ、ＰＲＢ）及び変調及び符号化方式（Ｍｏｄｕｌａｔｉｏｎ  ａｎｄ  Ｃｏｄｉｎｇ  Ｓｃｈｅｍｅ、ＭＣＳ）を用いる。基地局は受信されたアップリンクデータに対して巡回冗長検査（Ｃｙｃｌｉｃ  Ｒｅｄｕｎｄａｎｃｙ  Ｃｈｅｃｋ、ＣＲＣ）を行って、再送する必要があるかどうかを決定する。ＣＲＣに成功し、ユーザー装置（Ｕｓｅｒ  Ｅｑｕｉｐｍｅｎｔ、ＵＥ）がアップリンクデータを送信する必要がある場合、ＵＥが新しい送信を実行し、ＣＲＣに失敗した場合、ＵＥが再送を実行する。
【０００３】
第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）無線アクセスネットワーク（Ｒａｄｉｏ Ａｃｃｅｓｓ Ｎｅｔｗｏｒｋ、ＲＡＮ）＠９５会議の結論によれば、将来の通信システム（たとえば、５ｔｈ  Ｇｅｎｅｒａｔｉｏｎ、５Ｇ）におけるアップリンクＨＡＲＱ伝送が非同期アダプティブＨＡＲＱ伝送である。ＵＥがデータパケットを基地局に送信し、基地局が物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）においてダウンリンクコントロール情報（Ｄｏｗｎｌｉｎｋ  Ｃｏｎｔｒｏｌ  Ｉｎｆｏｒｍａｔｉｏｎ、ＤＣＩ）を含めてＵＥに新しい送信又は再送を実行することを指示する。基地局がＵＥを連続的にスケジューリングし、特定のＨＡＲＱプロセス（Ｐｒｏｃｅｓｓ）へ許可を与えて、ＵＥがＰＤＣＣＨを復号することで基地局のフィードバックを取得できるが、基地局がＵＥへの許可を停止すると、ＵＥが基地局のフィードバックを失い、ＵＥが新しい送信を実行するか、再送を実行するかを確定できない。
【０００４】
従って、アップリンク非同期アダプティブＨＡＲＱ伝送に適用するＨＡＲＱフィードバック方法を提供し、基地局がＵＥへの許可を停止しても、ＵＥが基地局のフィードバックを取得でき、システム効率を向上させる。
【発明の概要】
【０００５】
本願はハイブリッド自動再送要求フィードバック方法及び装置を提供し、アップリンク非同期アダプティブ（Ｈｙｂｒｉｄ  Ａｕｔｏｍａｔｉｃ  Ｒｅｐｅａｔ  Ｒｅｑｕｅｓｔ、ＨＡＲＱ）伝送に適用し、ネットワーク装置が端末装置への許可を停止しても、端末装置がネットワーク装置のフィードバックを取得でき、システム効率を向上させる。
【０００６】
第１の態様では、ハイブリッド自動再送要求フィードバック方法を提供し、端末装置がネットワーク装置に送信待ちデータを送信することと、前記端末装置が第１のターゲット期間内に前記送信待ちデータに対するフィードバック情報を受信していないと確定した場合、前記端末装置は前記ネットワーク装置にフィードバック要求情報を送信し、前記フィードバック要求情報は前記ネットワーク装置が前記送信待ちデータに対するフィードバック情報を送信するように要求し、前記第１のターゲット期間の開始時点は前記端末装置が前記送信待ちデータの送信を完了する時点であり、前記第１のターゲット期間の時間長さは第１の時間長さであることとを含む。
【０００７】
本願のＨＡＲＱフィードバック方法によれば、端末装置がネットワーク装置に送信待ちデータを送信した後、ターゲット期間内にネットワーク装置により送信された該送信待ちデータに対するフィードバック情報を受信したか否かに応じて、ネットワーク装置にフィードバック要求情報を送信するか否かを確定し、アップリンクにおいて非同期アダプティブＨＡＲＱを用いる通信システムに適用し、ネットワーク装置が端末装置への許可を停止した場合、端末装置がフィードバック要求情報を送信することでネットワーク装置のフィードバック情報を取得でき、システム効率を向上させる。
【０００８】
第１の態様を参照すると、第１の態様の一実現方式では、前記フィードバック要求情報は、前記端末装置の識別ＩＤとターゲットＨＡＲＱプロセスのＩＤを含み、
前記端末装置がネットワーク装置に送信待ちデータを送信することは、前記端末装置が前記ターゲットＨＡＲＱプロセスにより前記ネットワーク装置に前記送信待ちデータを送信することを含む。
【０００９】
第１の態様及びその上記実現方式を参照すると、第１の態様の他の実現方式では、前記端末装置がネットワーク装置にフィードバック要求情報を送信することは、前記端末装置が、前記ネットワーク装置が前記端末装置に割り当てた前記フィードバック要求情報を送信するための専用リソースにおいて、前記ネットワーク装置に前記フィードバック要求情報を送信し、又は、前記端末装置が予め設定した共有リソースにおいて前記ネットワーク装置に前記フィードバック要求情報を送信することを含む。
【００１０】
任意選択的に、予め設定した共有リソースは許可不要（Ｇｒａｎｔ  Ｆｒｅｅ）伝送用のリソースである。
【００１１】
第１の態様及びその上記実現方式を参照すると、第１の態様の他の実現方式では、前記方法は、前記端末装置が前記ネットワーク装置により送信された前記送信待ちデータに対するフィードバック情報を受信することをさらに含む。
【００１２】
第１の態様及びその上記実現方式を参照すると、第１の態様の他の実現方式では、前記フィードバック情報は前記ターゲットＨＡＲＱプロセスのＩＤを含む肯定応答ＡＣＫ情報であり、
前記端末装置が前記ネットワーク装置により送信された前記送信待ちデータに対するフィードバック情報を受信することは、前記端末装置が前記ネットワーク装置により送信された前記ＡＣＫ情報を含むメディアアクセス制御プロトコルデータユニットＭＡＣ  ＰＤＵを受信することを含む。
【００１３】
第１の態様及びその上記実現方式を参照すると、第１の態様の他の実現方式では、前記フィードバック情報は前記ターゲットＨＡＲＱプロセスのＩＤと前記端末装置のＩＤを含む肯定応答ＡＣＫ情報であり、
前記端末装置が前記ネットワーク装置により送信された前記送信待ちデータに対するフィードバック情報を受信することは、前記端末装置が前記ネットワーク装置により送信された前記ＡＣＫ情報を含むシステム情報を受信することを含む。
【００１４】
第１の態様及びその上記実現方式を参照すると、第１の態様の他の実現方式では、前記フィードバック情報は前記送信待ちデータの再送信に関する情報を含む否定応答ＮＡＣＫ情報であり、
前記端末装置が前記ネットワーク装置により送信された前記送信待ちデータに対するフィードバック情報を受信することは、前記端末装置が前記ネットワーク装置により送信された前記ＮＡＣＫ情報を含む物理ダウンリンク制御チャネルＰＤＣＣＨを受信することを含む。
【００１５】
第１の態様及びその上記実現方式を参照すると、第１の態様の他の実現方式では、前記方法は、前記端末装置が既存のプロトコルバージョンにおけるＨＡＲＱプロセスのラウンドトリップタイムＲＴＴに基づき、前記第１の時間長さを確定すること、又は、前記端末装置が、前記ネットワーク装置に前記送信待ちデータを送信する前に受信した、前記ネットワーク装置により送信されたフィードバック情報に対応する時間長さに従って、前記第１の時間長さを確定することをさらに含む。
【００１６】
第２の形態では、ハイブリッド自動再送要求ＨＡＲＱフィードバック方法を提供し、ネットワーク装置が端末装置により送信された送信待ちデータを受信することと、前記ネットワーク装置がターゲット条件を満たすと確定した場合、前記ネットワーク装置は前記端末装置に前記送信待ちデータに対するフィードバック情報を送信することとを含むことを特徴とする。
【００１７】
本願に基づくＨＡＲＱフィードバック方法では、ネットワーク装置が端末装置により送信された送信待ちデータを受信した後、ターゲット条件を満たすか否かに応じて、端末装置に送信待ちデータに対するフィードバック情報を送信するか否かを確定し、アップリンクにおいて非同期アダプティブＨＡＲＱを用いる通信システムに適用でき、ネットワーク装置が端末装置への許可を停止しても、端末装置がネットワーク装置のフィードバック情報を取得でき、システム効率を向上させる。
【００１８】
第２の態様を参照すると、第２の態様の一実現方式では、前記ターゲット条件は前記ネットワーク装置が前記端末装置により送信されたフィードバック要求情報を受信することであり、前記フィードバック要求情報は前記ネットワーク装置が端末装置に前記送信待ちデータに対するフィードバック情報を送信するように要求し、又は、前記ターゲット条件は前記ネットワーク装置が第２のターゲット期間内に前記端末装置にダウンリンクデータを送信する必要がなく、又は、前記第２のターゲット期限内に前記ＵＥにより送信されたスケジューリング要求を受信していないことであり、前記第２のターゲット期間の開始時点は前記ネットワーク装置が前記送信待ちデータの復号に成功する時点であり、前記第２のターゲット期限の時間長さは第２の時間長さである。
【００１９】
第２の態様及びその上記実現方式を参照すると、第２の態様の他の実現方式では、前記フィードバック要求情報は、前記端末装置の識別ＩＤとターゲットＨＡＲＱプロセスのＩＤを含み、
前記ネットワーク装置が端末装置により送信された送信待ちデータを受信することは、前記ネットワーク装置が、前記端末装置が前記ターゲットＨＡＲＱプロセスにより送信した前記送信待ちデータを受信することを含む。
【００２０】
第２の態様及びその上記実現方式を参照すると、第２の態様の他の実現方式では、前記方法は、前記ネットワーク装置が、前記ネットワーク装置が前記端末装置に割り当てた前記フィードバック要求情報を送信するための専用リソースにおいて、前記端末装置により送信された前記フィードバック要求情報を受信し、又は、前記ネットワーク装置が予め設定した共有リソースにおいて前記端末装置により送信された前記フィードバック要求情報を受信することをさらに含む。
【００２１】
第２の態様及びその上記実現方式を参照すると、第２の態様の他の実現方式では、前記フィードバック情報は前記ターゲットＨＡＲＱプロセスのＩＤを含む肯定応答ＡＣＫ情報であり、
前記ネットワーク装置が前記端末装置に前記送信待ちデータに対するフィードバック情報を送信することは、前記ネットワーク装置が前記端末装置に前記ＡＣＫ情報を含むメディアアクセス制御プロトコルデータユニットＭＡＣ  ＰＤＵを送信することを含む。
【００２２】
第２の態様及びその上記実現方式を参照すると、第２の態様の他の実現方式では、前記フィードバック情報は前記ターゲットＨＡＲＱプロセスのＩＤと前記端末装置のＩＤを含む肯定応答ＡＣＫ情報であり、
前記ネットワーク装置が前記端末装置に前記送信待ちデータに対するフィードバック情報を送信することは、前記ネットワーク装置が前記端末装置に前記ＡＣＫ情報を含むシステム情報を送信することを含む。
【００２３】
第２の態様及びその上記実現方式を参照すると、第２の態様の他の実現方式では、前記フィードバック情報は前記送信待ちデータの再送信に関する情報を含む否定応答ＮＡＣＫ情報であり、
前記ネットワーク装置が前記端末装置に前記送信待ちデータに対するフィードバック情報を送信することは、前記ネットワーク装置が前記端末装置に前記ＮＡＣＫ情報を含む物理ダウンリンク制御チャネルＰＤＣＣＨを送信することを含む。
【００２４】
第３の態様では、端末装置を提供し、上記第１の態様又は第１の態様の任意の可能な実現方式における方法を実行する。具体的には、前記端末装置は、上記第１の態様又は第１の態様の任意の可能な実現方式における方法を実行する機能モジュールを備える。
【００２５】
第４の態様では、ネットワーク装置を提供し、上記第２の態様又は第２の態様の任意の可能な実現方式における方法を実行する。具体的には、前記ネットワーク装置は、上記第２の態様又は第２の態様を実行する任意の可能な実現方式における方法を実行する機能モジュールを備える。
【００２６】
第５の態様では、プロセッサと、メモリと、送受信機とを備える端末装置を提供する。前記プロセッサ、前記メモリ、及び前記送受信機は内部接続通路を介して互いに通信し、制御及び／又はデータ信号を伝送し、前記端末装置が上記第１の態様又は第１の態様の任意の可能な実現方式における方法を実行する。
【００２７】
第６の態様では、プロセッサと、メモリと、送受信機とを備えるネットワーク装置を提供する。前記プロセッサ、前記メモリ、及び前記送受信機は内部接続通路を介して通信し、制御及び／又はデータ信号を伝送し、前記ネットワーク装置が上記第２の態様又は第２の態様の任意の可能な実現方式における方法を実行する。
【００２８】
第７の態様では、コンピュータプログラムを記憶するコンピュータ可読媒体を提供し、前記コンピュータプログラムは、上記第１の態様又は第１の態様の任意の可能な実現方式における指令を実行する。
【００２９】
第８の態様では、コンピュータプログラムを記憶するコンピュータ可読媒体を提供し、前記コンピュータプログラムは、上記第２の態様又は第２の態様の任意の可能な実現方式における指令を実行する。
【図面の簡単な説明】
【００３０】
【図１】図１は本願の実施例に基づくハイブリッド自動再送要求フィードバック方法の概略フローチャートである。
【図２】図２は本願の他の実施例に基づくハイブリッド自動再送要求フィードバック方法の概略フローチャートである。
【図３】図３は本願の実施例に基づく端末装置の概略ブロック図である。
【図４】図４は本願の実施例に基づくネットワーク装置の概略ブロック図である。
【図５】図５は本願の他の実施例に基づく端末装置の概略ブロック図である。
【図６】図６は本願の他の実施例に基づくネットワーク装置の概略ブロック図。
【発明を実施するための形態】
【００３１】
以下、本願の実施例における図面を参照しながら、本願の実施例における技術案を明確かつ完全に説明する。
【００３２】
本願の実施例の技術案は様々の通信システム、たとえば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）又はワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、５Ｇシステム、又は新たな無線（Ｎｅｗ  Ｒａｄｉｏ、ＮＲ）システムに適用することは理解すべきである。
【００３３】
本願の実施例では、端末装置には、移動局（Ｍｏｂｉｌｅ  Ｓｔａｔｉｏｎ、ＭＳ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ユーザー装置（Ｕｓｅｒ  Ｅｑｕｉｐｍｅｎｔ、ＵＥ）、ハンドセット（ｈａｎｄｓｅｔ）及び携帯用機器（ｐｏｒｔａｂｌｅ  ｅｑｕｉｐｍｅｎｔ）、車両（ｖｅｈｉｃｌｅ）などが含まれるが、それらに限定されるものではなく、該端末装置は、無線アクセスネットワーク（Ｒａｄｉｏ  Ａｃｃｅｓｓ  Ｎｅｔｗｏｒｋ、ＲＡＮ）により、１つ又は複数のコアネットワークと通信することができ、たとえば、端末装置は、携帯電話（又は「セルラ」電話と呼ばれる）であってもよく、無線通信機能を有するコンピュータなどであってもよい。端末装置は携帯用、ポケットサイズ、ハンドヘルド、コンピュータ内蔵又は車両搭載用の移動装置であってもよい。
【００３４】
本願の実施例では、ネットワーク装置は、無線アクセスネットワークに配置された端末装置のために無線通信機能を提供する装置である。前記ネットワーク装置は、基地局であってもよく、前記基地局は様々なマクロ基地局、マイクロ基地局、中継局、アクセスポイントなどを含んでもよい。異なる無線アクセス技術を用いたシステムでは、基地局機能を有する装置の名称が異なる可能性がある。たとえばＬＴＥネットワークでは、進化したノードＢ（Ｅｖｏｌｖｅｄ  ＮｏｄｅＢ、ｅＮＢ又はｅＮｏｄｅＢ）と呼ばれ、第３世代（３ｒｄ  Ｇｅｎｅｒａｔｉｏｎ、３Ｇ）ネットワークでは、ノードＢ（Ｎｏｄｅ  Ｂ）などと呼ばれる。
【００３５】
図１は、本願の実施例に基づくハイブリッド自動再送要求フィードバック方法を示す図である。図１に示すように、方法１００は、Ｓ１１０とＳ１２０を含む。
Ｓ１１０、端末装置はネットワーク装置に送信待ちデータを送信する。
Ｓ１２０、前記端末装置が第１のターゲット期間内に前記送信待ちデータに対するフィードバック情報を受信していないと確定した場合、前記端末装置は前記ネットワーク装置にフィードバック要求情報を送信し、前記フィードバック要求情報は前記ネットワーク装置が前記送信待ちデータに対するフィードバック情報を送信するように要求し、前記第１のターゲット期間の開始時点は前記端末装置が前記送信待ちデータの送信を完了する時点であり、前記第１のターゲット期間の時間長さは第１の時間長さである。
【００３６】
本願のハイブリッド自動再送要求（Ｈｙｂｒｉｄ  Ａｕｔｏｍａｔｉｃ  Ｒｅｐｅａｔ  Ｒｅｑｕｅｓｔ、ＨＡＲＱ）フィードバック方法によれば、端末装置がネットワーク装置に送信待ちデータを送信した後、ターゲット期間内にネットワーク装置により送信された該送信待ちデータに対するフィードバック情報を受信したか否かに応じて、ネットワーク装置にフィードバック要求情報を送信するか否かを確定し、アップリンクにおいて非同期アダプティブＨＡＲＱを用いる通信システムに適用し、ネットワーク装置が端末装置への許可を停止した場合、端末装置がフィードバック要求情報を送信することでネットワーク装置のフィードバック情報を取得でき、システム効率を向上させる。
【００３７】
従来技術のフィードバック方法に基づき、前記送信待ちデータが端末装置がネットワーク装置に送信する必要がある最後の送信待ちデータである時、ネットワーク装置が該最後の送信待ちデータの復号に成功した場合、ネットワーク装置は端末装置のスケジューリングを停止し、それにより端末装置が該最後の送信待ちデータが再送される必要があるか否かを把握できず、従って、端末装置が再送キャッシュメモリに該最後の送信待ちデータを続いて記憶し、リソース無駄をもたらし、システム効率に影響を与えることは、理解されるべきである。本願の実施例のＨＡＲＱフィードバック方法によれば、端末装置が該最後の送信待ちデータの送信を完了する時点から開始の第１のターゲット期間内に、端末装置がネットワーク装置のフィードバックを受信していない場合、端末装置がネットワーク装置にフィードバック要求情報を送信し、ネットワーク装置が該最後の送信待ちデータをフィードバックするように要求し、それによりリソース無駄を回避し、システム効率を向上させる。
【００３８】
任意選択的に、Ｓ１１０では、端末装置がターゲットＨＡＲＱプロセス（Ｐｒｏｃｅｓｓ）によりネットワーク装置に送信待ちデータを送信する。この場合で、Ｓ１２０では、端末装置がネットワーク装置に送信したフィードバック要求情報には、端末装置の識別子（Ｉｄｅｎｔｉｆｉｃａｔｉｏｎ、ＩＤ）及びターゲットＨＡＲＱ  ＰｒｏｃｅｓｓのＩＤが含まれる。ネットワーク装置が端末装置のＩＤ及びターゲットＨＡＲＱ  ＰｒｏｃｅｓｓのＩＤに基づいて、受信された送信待ちデータをフィードバックすること必要があることを判断でき、又は、端末装置にターゲットＨＡＲＱ  Ｐｒｏｃｅｓｓに対応するフィードバック情報を送信する必要があると理解されてもよい。
【００３９】
任意選択的に、Ｓ１２０では、端末装置が専用リソース又は予め設定した共有リソースにおいてネットワーク装置にフィードバック要求情報を送信する。専用リソースは、ネットワーク装置が端末装置に割り当てたフィードバック要求情報を送信するためのリソースであってもよく、たとえば、ネットワーク装置はシステム情報によりこの専用リソースを端末装置に設定してもよい。予め設定した共有リソースは、ネットワーク装置が予め設定した許可不要（Ｇｒａｎｔ−Ｆｒｅｅ）伝送型のリソースであってもよい。
【００４０】
端末装置がネットワーク装置にフィードバック要求情報を送信した後、端末装置がネットワーク装置により送信された送信待ちデータに対するフィードバック情報を受信することは理解されるべきである。
【００４１】
具体的には、いくつかの実施例では、ネットワーク装置が前記送信待ちデータを正確に復号すると、フィードバック情報がターゲットＨＡＲＱプロセスのＩＤが含まれる肯定応答（Ａｃｋｎｏｗｌｅｄｇｅｍｅｎｔ、ＡＣＫ）情報であり、端末装置がターゲットＨＡＲＱプロセスのＩＤに基づいて受信されたＡＣＫ情報が前記送信待ちデータに対する確認情報であると確定でき、且つ前記送信待ちデータを再送する必要がないことを確定する。
【００４２】
任意選択的に、端末装置がネットワーク装置により送信されたＡＣＫ情報が含まれる媒体アクセス制御（Ｍｅｄｉｕｍ  Ａｃｃｅｓｓ  Ｃｏｎｔｒｏｌ、ＭＡＣ）プロトコルデータユニット（Ｐｒｏｔｏｃｏｌ  Ｄａｔａ  Ｕｎｉｔ、ＰＤＵ）を受信する。たとえば、ＡＣＫ情報がＭＡＣ  ＰＤＵのサブヘッダー（Ｓｕｂｈｅａｄｅｒ）部分に含まれ、又は、ＡＣＫ情報がＭＡＣ制御ユニット（Ｃｏｎｔｒｏｌ  Ｅｌｅｍｅｎｔ、ＣＥ）部分に含まれ、又は、ＡＣＫ情報がＭＡＣサービスデータ単位（Ｓｅｒｖｉｃｅ Ｄａｔａ Ｕｎｉｔ、ＳＤＵ）部分に含まる。
【００４３】
又は、端末装置がネットワーク装置により送信されたＡＣＫ情報が含まれるシステム情報を受信する。この時、ＡＣＫ情報にはターゲットＨＡＲＱプロセスのＩＤが含まれるほか、端末装置のＩＤも含まれる。
【００４４】
具体的には、他のいくつかの実施例では、前記ネットワーク装置が前記送信待ちデータの復号に成功していない場合、フィードバック情報が否定応答（Ｎｅｇａｔｉｖｅ  Ａｃｋｎｏｗｌｅｄｇｍｅｎｔ、ＮＡＣＫ）情報であり、ＮＡＣＫ情報には前記送信待ちデータの再送に関する情報が含まれる。上記した前記送信待ちデータの再送に関する情報には、前記送信待ちデータの再送に必要な変調及び符号化方式（Ｍｏｄｕｌａｔｉｏｎ  ａｎｄ  Ｃｏｄｉｎｇ  Ｓｃｈｅｍｅ、ＭＣＳ）、物理リソースブロック（Ｐｈｙｓｉｃａｌ  Ｒｅｓｏｕｒｃｅ  Ｂｌｏｃｋ、ＰＲＢ ）など情報が含まれる。端末装置がＮＡＣＫ情報を受信した後、前記送信待ちデータの再送に関する情報に基づいてネットワーク装置に前記送信待ちデータを再送する。
【００４５】
任意選択的に、端末装置がネットワーク装置により送信された上記ＮＡＣＫ情報が含まれる物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を受信する。
【００４６】
上記すべての実施例では、任意選択的に、第１の時間長さはプロトコルで約束した時間長さであり、第１の時間長さは端末装置により確定された時間長さであってもよい。たとえば、端末装置は従来技術のラウンドトリップタイム（Ｒｏｕｎｄ−Ｔｒｉｐ Ｔｉｍｅ、ＲＴＴ）の時間長さを第１の時間長さとして確定できる。又は、端末装置が、ネットワーク装置に前記送信待ちデータを送信する前に受信した、ネットワーク装置により送信されたフィードバック情報に対応する時間長さに従って、第１の時間長さを確定する。
【００４７】
たとえば、端末装置はネットワーク装置に前記送信待ちデータを送信する前に、既にネットワーク装置に３つのデータパケットを送信し、端末装置が１番目のデータパケットの送信を完了する時点と１番目のデータパケットに対するフィードバック情報を受信する時点との間の時間長さが８ｍｓであり、端末装置が２番目のデータパケットの送信を完了する時点と２番目のデータパケットに対するフィードバック情報を受信する時点との間の時間長さが１０ｍｓであり、端末装置が３番目のデータパケットの送信を完了する時点と３番目のデータパケットに対するフィードバック情報を受信する時点との間の時間長さが１２ｍｓである。端末装置は、上記３つの時間長さの平均値を前記第１の時間長さとして確定でき、又は、端末装置は上記３つの時間長さの最大値又は最小値を前記第１の時間長さとして確定できる。
【００４８】
上記すべての実施例では、任意選択的に、端末装置にはタイマーが設置され、端末装置が前記送信待ちデータの送信を完了するときに、タイマーをかけし始め、タイマー時間長さを第１の時間長さとする。
【００４９】
以上、図１を参照しながら端末装置側から本願の実施例に基づくハイブリッド自動再送要求フィードバック方法を詳細に説明したが、以下、図２を参照しながらネットワーク装置側から本願の実施例に基づくハイブリッド自動再送要求フィードバック方法を詳細に説明する。ネットワーク装置側で説明するネットワーク装置と端末装置とのインタラクションは端末装置での説明と同じであることは理解されるべきであり、繰り返しを回避するために、関連する説明を適当に省略する。
【００５０】
図２は、本願の他の実施例に基づくハイブリッド自動再送要求フィードバック方法を示す図であり、図２に示すように、方法２００は、Ｓ２１０とＳ２２０を含む。
Ｓ２１０、ネットワーク装置は端末装置により送信された送信待ちデータを受信する。
Ｓ２２０、前記ネットワーク装置がターゲット条件を満たすと確定した場合、前記ネットワーク装置は前記端末装置に前記送信待ちデータに対するフィードバック情報を送信する。
【００５１】
本願のＨＡＲＱフィードバック方法によれば、ネットワーク装置が端末装置により送信された送信待ちデータを受信した後、ターゲット条件を満たすか否かに応じて、端末装置に送信待ちデータに対するフィードバック情報を送信するか否かを確定し、アップリンクにおいて非同期アダプティブＨＡＲＱを用いる通信システムに適用でき、ネットワーク装置が端末装置への許可を停止しても、端末装置がネットワーク装置のフィードバック情報を取得でき、システム効率を向上させる。
【００５２】
本願の実施例では、任意選択的に、前記ターゲット条件は前記ネットワーク装置が前記端末装置により送信されたフィードバック要求情報を受信することであり、前記フィードバック要求情報は前記ネットワーク装置が端末装置に前記送信待ちデータに対するフィードバック情報を送信するように要求し、又は、
前記ターゲット条件は前記ネットワーク装置が第２のターゲット期間内に前記端末装置にダウンリンクデータを送信する必要がなく、又は、前記第２のターゲット期限内に前記端末装置により送信されたスケジューリング要求を受信していないことであり、前記第２のターゲット期間の開始時点は前記ネットワーク装置が前記送信待ちデータの復号に成功する時点である。
【００５３】
任意選択的に、ネットワーク装置が第２のターゲット期間内に端末装置にダウンリンクデータを送信する必要がなく、又は、前記第２のターゲット期限内に端末装置により送信されたスケジューリング要求を受信していないことは、ネットワーク装置が第２のターゲット期間内に端末装置にＰＤＣＣＨを送信する必要がないと理解されてもよい。
【００５４】
任意選択的に、ネットワーク装置は前記送信待ちデータの復号に成功する前に、一つのデータの復号に成功した時点からこのデータに対するフィードバック情報を送信する時点までの間の時間長さに基づいて、前記第２の時間長さを確定してもよい。
【００５５】
本願の実施例では、任意選択的に、前記フィードバック要求情報は、前記端末装置の識別ＩＤとターゲットＨＡＲＱプロセスのＩＤを含み、
Ｓ２１０は、具体的には、前記ネットワーク装置が、前記端末装置が前記ターゲットＨＡＲＱプロセスにより送信した前記送信待ちデータを受信することである。
【００５６】
本願の実施例では、任意選択的に、前記方法は、前記ネットワーク装置が、前記ネットワーク装置が前記端末装置に割り当てた前記フィードバック要求情報を送信するための専用リソースにおいて、前記端末装置により送信された前記フィードバック要求情報を受信し、又は、前記ネットワーク装置が予め設定した共有リソースにおいて前記端末装置により送信された前記フィードバック要求情報を受信することをさらに含む。
【００５７】
本願の実施例では、任意選択的に、前記フィードバック情報は前記ターゲットＨＡＲＱプロセスのＩＤを含む肯定応答ＡＣＫ情報であり、
Ｓ２２０では、前記ネットワーク装置が端末装置に前記送信待ちデータに対するフィードバック情報を送信することは、前記ネットワーク装置が前記端末装置に前記ＡＣＫ情報を含むメディアアクセス制御プロトコルデータユニットＭＡＣ  ＰＤＵを送信することを含む。
【００５８】
本願の実施例では、任意選択的に、前記フィードバック情報は前記ターゲットＨＡＲＱプロセスのＩＤと前記端末装置のＩＤを含む肯定応答ＡＣＫ情報であり、
Ｓ２２０では、前記ネットワーク装置が端末装置に前記送信待ちデータに対するフィードバック情報を送信することは、前記ネットワーク装置が前記端末装置に前記ＡＣＫ情報を含むシステム情報を送信することを含む。
【００５９】
本願の実施例では、任意選択的に、前記フィードバック情報は前記送信待ちデータの再送信に関する情報を含む否定応答ＮＡＣＫ情報であり、
Ｓ２２０では、前記ネットワーク装置が端末装置に前記送信待ちデータに対するフィードバック情報を送信することは、前記ネットワーク装置が前記端末装置に前記ＮＡＣＫ情報を含む物理ダウンリンク制御チャネルＰＤＣＣＨを送信することを含む。
【００６０】
以上、図１と図２を参照しながら本願の実施例に基づくハイブリッド自動再送要求フィードバック方法を詳細に説明したが、以下、図３を参照しながら本願の実施例に基づく端末装置を詳細に説明し、図３に示すように、端末装置１０は、送受信モジュール１１と処理モジュール１２と、を備える。
前記送受信モジュール１１は、ネットワーク装置に送信待ちデータを送信する。
前記処理モジュール１２は、前記送受信モジュール１１が第１のターゲット期間内に前記送信待ちデータに対するフィードバック情報を受信したか否かを確定し、前記第１のターゲット期間の開始時点は、前記送受信モジュール１１が前記送信待ちデータの送信を完了する時点であり、前記第１のターゲット期間の時間長さは第１の時間長さである。
前記送受信モジュール１１は、さらに、前記処理モジュール１２が前記送受信モジュール１１が第１のターゲット期間内に前記送信待ちデータに対するフィードバック情報を受信していないと確定した場合、前記ネットワーク装置にフィードバック要求情報を送信し、前記フィードバック要求情報は前記ネットワーク装置が前記送信待ちデータに対するフィードバック情報を送信するように要求する。
【００６１】
従って、本願の実施例に基づく端末装置がネットワーク装置に送信待ちデータを送信した後、ターゲット期間内にネットワーク装置により送信された該送信待ちデータに対するフィードバック情報を受信したか否かに応じて、ネットワーク装置にフィードバック要求情報を送信するか否かを確定し、アップリンクにおいて非同期アダプティブＨＡＲＱを用いる通信システムに適用でき、ネットワーク装置が端末装置への許可を停止しても、フィードバック要求情報を送信することでネットワーク装置のフィードバック情報を取得でき、システム効率を向上させる。
【００６２】
本願の実施例では、任意選択的に、前記フィードバック要求情報は、前記端末装置の識別ＩＤとターゲットＨＡＲＱプロセスのＩＤを含み、
前記送受信モジュール１１は、具体的には、前記ターゲットＨＡＲＱプロセスにより前記ネットワーク装置に前記送信待ちデータを送信する。
【００６３】
本願の実施例では、任意選択的に、前記送受信モジュール１１は、具体的には、前記ネットワーク装置が前記端末装置に割り当てた前記フィードバック要求情報を送信するための専用リソースにおいて、前記ネットワーク装置に前記フィードバック要求情報を送信し、又は、予め設定した共有リソースにおいて前記ネットワーク装置に前記フィードバック要求情報を送信する。
【００６４】
本願の実施例では、任意選択的に、前記送受信モジュール１１は、さらに、前記ネットワーク装置により送信された前記送信待ちデータに対するフィードバック情報を受信する。
【００６５】
本願の実施例では、任意選択的に、前記フィードバック情報は前記ターゲットＨＡＲＱプロセスのＩＤを含む肯定応答ＡＣＫ情報であり、
前記送受信モジュール１１は、具体的には、前記ネットワーク装置により送信された前記ＡＣＫ情報を含むメディアアクセス制御プロトコルデータユニットＭＡＣ  ＰＤＵを受信する。
【００６６】
本願の実施例では、任意選択的に、前記フィードバック情報は前記ターゲットＨＡＲＱプロセスのＩＤと前記端末装置のＩＤを含む肯定応答ＡＣＫ情報であり、
前記送受信モジュール１１は、具体的には、前記ネットワーク装置により送信された前記ＡＣＫ情報を含むシステム情報を受信する。
【００６７】
本願の実施例では、任意選択的に、前記フィードバック情報は前記送信待ちデータの再送信に関する情報を含む否定応答ＮＡＣＫ情報であり、
前記送受信モジュール１１は、具体的には、前記ネットワーク装置により送信された前記ＮＡＣＫ情報を含む物理ダウンリンク制御チャネルＰＤＣＣＨを受信する。
【００６８】
本願の実施例では、任意選択的に、前記処理モジュール１２は、さらに、既存のプロトコルバージョンにおけるＨＡＲＱプロセスのラウンドトリップタイムＲＴＴに基づき、前記第１の時間長さを確定すること、又は、前記ネットワーク装置に前記送信待ちデータを送信する前に前記送受信モジュール１１が受信した前記ネットワーク装置により送信されたフィードバック情報に対応する時間長さに基づいて、前記第１の時間長さを確定する。
【００６９】
本願の実施例に基づく端末装置は、本願の実施例の方法１００に対応するプロセスを参照し、且つ、該端末装置における各ユニット／モジュール及び上記その他の操作及び／又は機能はそれぞれ方法１００における対応プロセスを実現するためのものであり、簡潔さのために、ここで詳細な説明は省略する。
【００７０】
図４は、本願の実施例に基づくネットワーク装置を示す図であり、図４に示すように、ネットワーク装置２０は、送受信モジュール２１と、処理モジュール２２と、を備える。
前記送受信モジュール２１は、端末装置により送信された送信待ちデータを受信する。
前記処理モジュール２２は、前記ネットワーク装置がターゲット条件を満たすか否かを確定する。
前記送受信モジュール２１は、さらに、前記処理モジュール２２が、前記ネットワーク装置がターゲット条件を満たすと確定した場合、前記端末装置に前記送信待ちデータに対するフィードバック情報を送信する。
【００７１】
本願の実施例では、任意選択的に、前記ターゲット条件は前記送受信モジュールが前記端末装置により送信されたフィードバック要求情報を受信することであり、前記フィードバック要求情報は前記ネットワーク装置が端末装置に前記送信待ちデータに対するフィードバック情報を送信するように要求し、又は、
前記ターゲット条件は前記送受信モジュールが第２のターゲット期間内に前記端末装置にダウンリンクデータを送信する必要がなく、又は、前記第２のターゲット期限内に前記ＵＥにより送信されたスケジューリング要求を受信していないことであり、前記第２のターゲット期間の開始時点は、前記処理モジュールが前記送信待ちデータの復号に成功する時点であり、前記第２のターゲット期間の時間長さは第２の時間長さである。
【００７２】
本願の実施例では、任意選択的に、前記ターゲット条件は前記送受信モジュールが前記端末装置により送信されたフィードバック要求情報を受信することであり、前記フィードバック要求情報は前記ネットワーク装置が端末装置に前記送信待ちデータに対するフィードバック情報を送信するように要求し、又は、
前記ターゲット条件は前記送受信モジュールが第２のターゲット期間内に前記端末装置にダウンリンクデータを送信する必要がなく、又は、前記第２の期限内に前記ＵＥにより送信されたスケジューリング要求を受信していないことであり、前記第２のターゲット期間の開始時点は、前記処理モジュールが前記送信待ちデータの復号に成功する時点であり、前記第２のターゲット期間の時間長さは第２の時間長さである。
【００７３】
本願の実施例では、任意選択的に、前記フィードバック要求情報は、前記端末装置の識別ＩＤとターゲットＨＡＲＱプロセスのＩＤを含み、
前記送受信モジュール２１は、具体的には、前記端末装置が前記ターゲットＨＡＲＱプロセスにより送信した前記送信待ちデータを受信する。
【００７４】
本願の実施例では、任意選択的に、前記送受信モジュール２１は、さらに、前記ネットワーク装置が前記端末装置に割り当てた前記フィードバック要求情報を送信するための専用リソースにおいて、前記端末装置により送信された前記フィードバック要求情報を受信し、又は、予め設定した共有リソースにおいて前記端末装置により送信された前記フィードバック要求情報を受信する。
【００７５】
本願の実施例では、任意選択的に、前記フィードバック情報は前記ターゲットＨＡＲＱプロセスのＩＤを含む肯定応答ＡＣＫ情報であり、
前記送受信モジュール２１は、具体的には、前記端末装置に前記ＡＣＫ情報を含むメディアアクセス制御プロトコルデータユニットＭＡＣ  ＰＤＵを送信する。
【００７６】
本願の実施例では、任意選択的に、前記フィードバック情報は前記ターゲットＨＡＲＱプロセスのＩＤと前記端末装置のＩＤを含む肯定応答ＡＣＫ情報であり、
前記送受信モジュール２１は、具体的には、前記端末装置に前記ＡＣＫ情報を含むシステム情報を送信する。
【００７７】
図５は、本願の他の実施例に基づく端末装置を示す図である。図５に示すように、端末装置１００は、接続されているプロセッサ１１０と、送受信機１２０と、を備え、任意選択的に、該端末装置１００は、プロセッサ１１０に接続されるメモリ１３０をさらに備える。プロセッサ１１０、メモリ１３０、及び送受信機１２０は、内部接続通路を介して通信できる。送受信機１２０は、ネットワーク装置に送信待ちデータを送信し、前記プロセッサ１１０は、前記送受信機１２０が第１のターゲット期間内に前記送信待ちデータに対するフィードバック情報を受信したか否かを確定し、前記第１のターゲット期間の開始時点が、前記送受信機１２０が前記送信待ちデータの送信を完了する時点であり、前記第１のターゲット期間の時間長さが第１の時間長さであり、前記送受信機１２０は、さらに、前記プロセッサ１１０が前記送受信機１２０が第１のターゲット期間内に前記送信待ちデータに対するフィードバック情報を受信していないと確定した場合、前記ネットワーク装置にフィードバック要求情報を送信し、前記フィードバック要求情報は前記ネットワーク装置が前記送信待ちデータに対するフィードバック情報を送信するように要求する。
【００７８】
図５は、本願の他の実施例に基づく端末装置を示す図である。図５に示すように、端末装置１００は、接続されているプロセッサ１１０と、送受信機１２０と、を備え、任意選択的に、該ネットワーク装置１００は、プロセッサ１１０に接続されるメモリ１３０をさらに備える。プロセッサ１１０、メモリ１３０、及び送受信機１２０は、内部接続通路を介して通信できる。送受信機１２０は、ネットワーク装置に送信待ちデータを送信し、前記プロセッサ１１０は、前記送受信機１２０が第１のターゲット期間内に前記送信待ちデータに対するフィードバック情報を受信したか否かを確定し、前記第１のターゲット期間の開始時点が、前記送受信機１２０が前記送信待ちデータの送信を完了する時点であり、前記第１のターゲット期間の時間長さが第１の時間長さであり、前記送受信機１２０は、さらに、前記プロセッサ１１０が前記送受信機１２０が第１のターゲット期間内に前記送信待ちデータに対するフィードバック情報を受信していないと確定した場合、前記ネットワーク装置にフィードバック要求情報を送信し、前記フィードバック要求情報は前記ネットワーク装置が前記送信待ちデータに対するフィードバック情報を送信するように要求する。
【００７９】
従って、本願の実施例に基づく端末装置は、ネットワーク装置に送信待ちデータを送信した後、ターゲット期間内にネットワーク装置により送信された該送信待ちデータに対するフィードバック情報を受信したか否かに応じて、ネットワーク装置にフィードバック要求情報を送信するか否かを確定し、アップリンクにおいて非同期アダプティブＨＡＲＱを用いる通信システムに適用し、ネットワーク装置が端末装置への許可を停止しても、フィードバック要求情報を送信することでネットワーク装置のフィードバック情報を取得でき、システム効率を向上させる。
【００８０】
図６は、本願の他の実施例に基づくネットワーク装置の概略ブロック図であり、図６に示すように、ネットワーク装置２００は、接続されているプロセッサ２１０と、送受信機２２０と、を備え、任意選択的に、前記ネットワーク装置２００は、プロセッサ２１０に接続されるメモリ２３０をさらに備える。プロセッサ２１０、メモリ２３０、及び送受信機２２０は内部接続通路を介して通信できる。前記送受信機２２０は、端末装置により送信される送信待ちデータを受信し、前記プロセッサ２１０は、前記ネットワーク装置がターゲット条件を満たすか否かを確定し、前記送受信機２１０は、前記プロセッサ２１０が前記ネットワーク装置がターゲット条件を満たすと確定した場合、前記端末装置に前記送信待ちデータに対するフィードバック情報を送信する。
【００８１】
図６は、本願の他の実施例に基づくネットワーク装置の概略ブロック図であり、図６に示すように、ネットワーク装置２００は、接続されているプロセッサ２１０と、送受信機２２０と、を備え、任意選択的に、前記端末装置２００は、プロセッサ２１０に接続されるメモリ２３０をさらに備える。プロセッサ２１０、メモリ２３０、及び送受信機２２０は内部接続通路を介して通信できる。前記送受信機２２０は、端末装置により送信される送信待ちデータを受信し、前記プロセッサ２１０は、前記ネットワーク装置がターゲット条件を満たすか否かを確定し、前記送受信機２１０は、前記プロセッサ２１０が前記ネットワーク装置がターゲット条件を満たすと確定した場合、前記端末装置に前記送信待ちデータに対するフィードバック情報を送信する。
【００８２】
従って、本願の実施例に基づくネットワーク装置は、端末装置により送信された送信待ちデータを受信した後、ターゲット条件を満たすか否かに応じて、端末装置に送信待ちデータに対するフィードバック情報を送信するか否かを確定し、アップリンクにおいて非同期アダプティブＨＡＲＱを用いる通信システムに適用し、ネットワーク装置が端末装置への許可を停止しても、端末装置がネットワーク装置のフィードバック情報を取得でき、システム効率を向上させる。
【００８３】
本願の実施例に基づくネットワーク装置２００は本願の実施例に対応するネットワーク装置２０を参照でき、該ネットワーク装置における各ユニット／モジュール及び上記その他の操作及び／又は機能がそれぞれ方法２００における対応プロセスを実現するためのものであり、簡潔さのために、ここで詳細な説明は省略する。
【００８４】
本願の実施例におけるプロセッサは信号処理能力を有する集積回路チップであってもよいことは理解されるべきである。上記プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）又はその他のプログラマブルロジックデバイス、個別のゲートもしくはトランジスタ論理回路、離散ハードウェアコンポーネントであってもよい。本願の実施例で開示されている各方法、ステップ及び論理ブロック図は実施又は実行可能である。汎用プロセッサは、マイクロプロセッサーであってもよく、該プロセッサは任意の通常のプロセッサなどであってもよい。
【００８５】
本願の実施例におけるメモリは、揮発性メモリ又は不揮発性メモリであってもよく、又は、揮発性及び不揮発性メモリの両方を含んでもよい。不揮発性メモリは読み出し専用メモリ（Ｒｅａｄ−Ｏｎｌｙ  Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的消去可能なプログラマブル読み出し専用メモリ（Ｅｌｅｃｔｒｉｃａｌｌｙ  ＥＰＲＯＭ、ＥＥＰＲＯＭ）又はフラッシュメモリであってもよい。揮発性メモリは、ランダムアクセスメモリ（Ｒａｎｄｏｍ  Ａｃｃｅｓｓ  Ｍｅｍｏｒｙ、ＲＡＭ）であってもよく、外部キャッシュとして用いられる。限定ではなく例示として、多くの形式のＲＡＭが利用可能であり、たとえば静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、同期動的ランダムアクセスメモリ（Ｓｙｎｃｈｒｏｎｏｕｓ  ＤＲＡＭ、ＳＤＲＡＭ）、ダブルデータレート同期動的ランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期動的ランダムアクセスメモリ（Ｅｎｈａｎｃｅｄ  ＳＤＲＡＭ、ＥＳＤＲＡＭ）、シンクリンクランダムアクセスメモリ（Ｓｙｎｃｈｌｉｎｋ  ＤＲＡＭ、ＳＬＤＲＡＭ）及びダイレクトランバスランダムアクセスメモリ（Ｄｉｒｅｃｔ  Ｒａｍｂｕｓ  ＲＡＭ、ＤＲ  ＲＡＭ）が挙げられる。本明細書で説明されるシステム及び方法のメモリは、これら及び任意の他の適切な種類のメモリを含むがそれらに限定されるものではない。
【００８６】
当業者は、本明細書で開示されている実施例を参照しながら説明する各例のユニット及び算法ステップは、電子ハードウェア、又は、コンピュータソフトウェアと電子ハードウェアとの組合せにより実現できる。これらの機能がハードウェアそれともソフトウェアの方式で実行されるかは、技術案の特定の応用及び設計制約条件に決められる。当業者は、各特定の応用に対して異なる方法で説明した機能を実現できるが、このような実現が本願の範囲を超えると見なされるべきではない。
【００８７】
当業者は、説明の便宜及び簡潔さのために、上記説明したシステム、装置及びユニットの具体的な動作過程は、上記方法実施例における対応過程を参照でき、ここで詳細な説明は省略する。
【００８８】
本願で提供されるいくつかの実施例では、開示されているシステム、装置及び方法は、その他の方式で実現できることは理解されるべきである。たとえば、上記説明された装置実施例はただ例示的なものであり、たとえば、前記ユニットの区画は、ただ論理的な機能区画であり、実際に実現するときに他の区画方式が挙げられ、たとえば複数のユニット又はコンポーネントがその他のシステムに組み合わせ又は集積することができ、又は、いくつかの特徴が無視されてもよく又は実行されなくてもよい。さらに、表示又は検討される相互間の結合又は直接結合又は通信接続は、いくつかのインタフェース、装置又はユニットによる間接結合又は通信接続であってもよく、電気特性、機械又はその他の形式であってもよい。
【００８９】
前記分離部材として説明されるユニットは、物理的に分離されてもされなくてもよく、ユニットとして表示される部材は物理的なユニットであってもなくてもよく、すなわち一箇所に位置してもよく、又は、複数のネットワークユニットに分布してもよい。実際の需要に応じてその一部又はすべてのユニットを選択して本実施例の技術案の目的を実現できる。
【００９０】
また、本願の各実施例における各機能ユニットは、１つの処理ユニットに集成されてもよく、各ユニットがそれぞれ物理的に存在してもよく、２つ又は２つ以上のユニットが１つのユニットに集成されてもよい。
【００９１】
前記機能はソフトウェア機能ユニットの形式で実現されかつ独立した製品として販売又は使用されるときに、１つのコンピュータリーダブル記憶媒体に記憶されてもよい。このような理解に基づき、本願の技術案は、本質的又は従来技術に貢献する部分又は該技術案の部分がソフトウェア製品の形式で表現することができ、該コンピュータソフトウェア製品が１つの記憶媒体に記憶され、１台のコンピュータ装置（パーソナルコンピュータ、サーバ、又はネットワーク装置などであってもよい）が本願の各実施例の前記方法のすべて又は一部のステップを実行する複数の指令を含む。上記記憶媒体は、Ｕディスク、モバイルディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、プロクラムコードを記憶可能な磁気ディスク又はディスクなどの媒体を含んでもよい。
【００９２】
以上は、本願の具体的な実施形態にすぎず、本願の保護範囲はそれに限定されるものではなく、当業者は、本願で開示された技術範囲内に容易に想到できる変化又は置換は本願の保護範囲内に含まれるべきである。従って、本願の保護範囲は請求項の保護範囲を基準とする。 
【図１】
0006987143.tif 000002
【図２】
0006987143.tif 000003
【図３】
0006987143.tif 000004
【図４】
0006987143.tif 000005
【図５】
0006987143.tif 000006
【図６】
0006987143.tif 000007